(57)【要約】【課題】  フルマークになったスタンプカードの読み取りの確実性を図ると共に、スタンプマークを自由にデザインできるようにしたポイントサービスシステムを得る。【解決手段】  スタンプ加盟店１と、スタンプ加盟店１を纏める本部２とを備えて構成される組織体からなり、スタンプ加盟店１は共通のスタンプカード３を使用し、顧客４の購買金額に応じてそれぞれ自店を表示するスタンプ加盟店識別情報を含んだスタンプ装置５で押印し、フルマークになったスタンプカード３に対してスタンプ加盟店１はこれを買物利用券或いは景品その他のサービス提供券として顧客４に利益を提供し、当該スタンプ加盟店１は、当該フルマークになったスタンプカード３を本部２に提出し、その数に応じて本部２から所定の金額の給付を受け、本部２は提出されたフルマークになったスタンプカード３に押されているスタンプ加盟店１毎に、スタンプマークの数に応じた負担金をコンピュータで計算し請求するようにした。【選択図】  図１
2009176157.tif 000002
【特許請求の範囲】
【請求項１】
スタンプ加盟店と、スタンプ加盟店を纏める本部とを備えて構成される組織体からなり、スタンプ加盟店は共通のスタンプカードを使用し、顧客の購買金額に応じてそれぞれ自店を表示するスタンプ加盟店識別情報を含んだスタンプ装置で押印し、フルマークになったスタンプカードに対してスタンプ加盟店はこれを買物利用券或いは景品その他のサービス提供券として顧客に利益を提供し、当該スタンプ加盟店は、当該フルマークになったスタンプカードを本部に提出し、その数に応じて本部から所定の金額の給付を受け、本部は提出されたフルマークになったスタンプカードに押されているスタンプ加盟店毎に、スタンプマークの数に応じた負担金をコンピュータで計算し請求するようにしたポイントサービスシステムであって、
前記スタンプ装置は、押印部と、スタンプ加盟店識別情報を記憶しているＩＣチップと前記押印手段による押印毎に前記スタンプ加盟店識別情報を発信する発信手段とからなるＩＤライタ部とを備え、
前記スタンプカードは、スタンプマーク欄と、ＩＤライタ部から発信されたスタンプ加盟店識別情報を受信して記録するＩＣチップとＩＣチップと接続したループアンテナコイルとからなるＩＤ記録部とを備え、
本部は、前記スタンプ装置のＩＤライタ部によってスタンプカードのＩＤ記録部に記録されたスタンプ加盟店識別情報を読み取るリーダを備え、
前記コンピュータは、リーダで読み取ったスタンプカードのＩＤ記録部に記録されたスタンプ加盟店識別情報から特定のスタンプ加盟店を認識するスタンプ加盟店認識手段と、スタンプカードのＩＤ記録部に記録されているスタンプ加盟店毎の記録数を計算する記録数計算手段と、記録数計算手段で計算されたスタンプ加盟店毎の記録数により、スタンプ加盟店毎の負担金を計算する負担金計算手段とを備えており、
前記本部に備えたリーダで前記スタンプ加盟店から本部に提出されたフルマークになったスタンプカードのＩＤ記録部に記録されたスタンプ加盟店識別情報を読み取ってコンピュータに出力し、スタンプ加盟店認識手段により、リーダから入力されたスタンプ加盟店識別情報から特定のスタンプ加盟店を認識し、記録数計算手段により、スタンプカードのＩＤ記録部に記録されているスタンプ加盟店毎の記録数を計算し、負担金計算手段により、記録数計算手段で計算されたスタンプ加盟店毎の記録数からスタンプ加盟店毎の負担金を計算し、
本部からスタンプカードのＩＤ記録部に記録されているスタンプ加盟店毎に、負担金計算手段で計算されたスタンプ加盟店毎の負担金を請求するようにし、また、フルマークになったスタンプカードを提出したスタンプ加盟店に対しては、スタンプカードの枚数に応じて適宜の計算手段により給付金を計算して、所定の金額を給付するようにしたことを特徴とするポイントサービスシステム。
【請求項２】
スタンプ加盟店と、スタンプ加盟店を纏める本部とを備えて構成される組織体からなり、スタンプ加盟店は共通のスタンプカードを使用し、顧客の購買金額に応じてそれぞれ自店を表示するスタンプ加盟店識別情報を含んだスタンプ装置で押印し、フルマークになったスタンプカードに対して本部はこれを買物利用券或いは景品その他のサービス提供券として顧客に利益を提供するとともに、フルマークになったスタンプカードに押されているスタンプ加盟店毎に、スタンプマークの数に応じた負担金をコンピュータで計算し請求するようにしたポイントサービスシステムであって、
前記スタンプ装置は、押印部と、スタンプ加盟店識別情報を記憶しているＩＣチップと前記押印手段による押印毎に前記スタンプ加盟店識別情報を発信する発信手段とからなるＩＤライタ部とを備え、
前記スタンプカードは、スタンプマーク欄と、ＩＤライタ部から発信されたスタンプ加盟店識別情報を受信して記録するＩＣチップとＩＣチップと接続したループアンテナコイルとからなるＩＤ記録部とを備え、
本部は、前記スタンプ装置のＩＤライタ部によってスタンプカードのＩＤ記録部に記録されたスタンプ加盟店識別情報を読み取るリーダを備え、
前記コンピュータは、リーダで読み取ったスタンプカードのＩＤ記録部に記録されたスタンプ加盟店識別情報から特定のスタンプ加盟店を認識するスタンプ加盟店認識手段と、スタンプカードのＩＤ記録部に記録されているスタンプ加盟店毎の記録数を計算する記録数計算手段と、記録数計算手段で計算されたスタンプ加盟店毎の記録数により、スタンプ加盟店毎の負担金を計算する負担金計算手段とを備えており、
前記本部に備えたリーダで前記顧客から本部に提出されたフルマークになったスタンプカードのＩＤ記録部に記録されたスタンプ加盟店識別情報を読み取ってコンピュータに出力し、スタンプ加盟店認識手段により、リーダから入力されたスタンプ加盟店識別情報から特定のスタンプ加盟店を認識し、記録数計算手段により、スタンプカードのＩＤ記録部に記録されているスタンプ加盟店毎の記録数を計算し、負担金計算手段により、記録数計算手段で計算されたスタンプ加盟店毎の記録数からスタンプ加盟店毎の負担金を計算し、
本部からスタンプカードのＩＤ記録部に記録されているスタンプ加盟店毎に、負担金計算手段で計算されたスタンプ加盟店毎の負担金を請求するようにしたことを特徴とする。
【請求項３】
前記スタンプ装置のＩＤライタ部と前記スタンプカードに備えられたＩＤ記録部との通信距離は密着型であり、また、前記スタンプカードに備えられたスタンプマーク欄は１押印毎に仕切られた所定数の仕切り枠により構成され、そしてＩＤ記録部のループアンテナコイルは、前記スタンプマーク欄を構成する全ての仕切り枠を横切るように配置されていることを特徴とする請求項１または２に記載のポイントサービスシステム。
【発明の詳細な説明】
【技術分野】
【０００１】
本発明は、店舗において顧客の支払金額等に応じて発行されるポイントが貯まると、顧客が所定のサービスを受けることができるようになるポイントサービスシステムに関する。
【背景技術】
【０００２】
従来より、店舗における販売促進のための顧客サービスとして、買い物金額等に応じて顧客に対してポイントの発行を行い、顧客は、所定数のポイントになると買物利用券或いは景品その他のサービス提供券としてのサービスの提供を受けることができるようになるポイントサービスシステムが知られている。各店舗におけるポイントの発行は、一般に、シールの付与やスタンプの押印などの形で行われている。
【０００３】
このようなポイントサービスシステムは、１つの店舗が独自に行っている場合もあるが、複数の店舗が纏まって行っている場合もある。複数の店舗が纏まって行っているポイントサービスシステムとしては、複数の店舗を束ねる本部があり、各店舗は本部から予めシールやポイントを購入しておき、各店舗における顧客の支払金額に応じ、その顧客に対して前記本部から購入した範囲内でのシールの付与やポイント数の範囲内でスタンプの押印を行うといったものが知られている。
【０００４】
しかしながら、店舗から付与されたシールを顧客が紛失してしまったり、シールを台紙に貼り付ける手間が面倒であるなどの理由で、ポイントを利用しないといったことがある。従来のポイントサービスシステムは、各店舗が予め本部からシールやポイントを購入していることから、顧客に付与されたシールやポイントが買物利用券或いは景品その他のサービス提供券として利用されない場合、店舗にとって無駄な経費となるといった問題があった。
【０００５】
かかる問題点を解決するものとして、出願人は、スタンプ加盟店と、スタンプ加盟店を纏める本部とを備えて構成される組織体からなり、スタンプ加盟店は共通のスタンプカードを使用し、フルマークになったスタンプカードに対してスタンプ加盟店はこれを買物利用券或いは景品その他のサービス提供券として顧客に利益を提供し、当該スタンプ加盟店は、当該フルマークになったスタンプカードを本部に提出し、その数に応じて本部から所定の金額の給付を受け、本部は提出されたフルマークになったスタンプカードに押されているスタンプ加盟店毎に、スタンプマークの数に応じた負担金をコンピュータで計算し請求するようにしたポイントサービスシステムであって、前記スタンプ加盟店は、スタンプカードに対してスタンプ加盟店識別情報を含んだスタンプマークを押印するための押印手段を備え、本部は、押印手段で押印されたスタンプカードのスタンプマークを画像情報として読み取りコンピュータに出力する画像情報読取手段を備え、前記コンピュータは、スタンプ加盟店毎の識別情報を記憶させたスタンプ加盟店識別情報記憶手段と、前記画像情報読取手段から入力された画像情報に基づきスタンプ加盟店の識別情報を認識して、特定のスタンプ加盟店を認識するスタンプ加盟店認識手段と、スタンプ加盟店認識手段で認識されたスタンプカードに押印されているスタンプ加盟店毎のスタンプマークの数を計算するスタンプ計算手段と、スタンプ計算手段で計算されたスタンプ加盟店毎のスタンプマークの数により、スタンプ加盟店毎の負担金を計算する負担金計算手段と、を備えており、前記スタンプ加盟店から本部に提出されたフルマークになったスタンプカードを本部に備えた画像情報読取手段により、スタンプカードのスタンプマークを画像情報として読み取ってコンピュータに出力し、スタンプ加盟店認識手段により、前記画像情報読取手段から入力された画像情報に基づきスタンプ加盟店の識別情報を認識し、スタンプ計算手段により、スタンプ加盟店認識手段で認識されたスタンプカードに押印されているスタンプ加盟店毎のスタンプマークの数を計算し、負担金計算手段により、スタンプ計算手段で計算されたスタンプ加盟店毎のスタンプマークの数からスタンプ加盟店毎の負担金を計算し、本部からスタンプカードに押されているスタンプ加盟店毎に、負担金計算手段で計算されたスタンプ加盟店毎の負担金を請求するようにし、また、フルマークになったスタンプカードを提出したスタンプ加盟店に対しては、スタンプカードの枚数に応じて適宜の計算手段により給付金を計算して、所定の金額を給付するようにしたことを特徴とするポイントサービスシステムを開発し、出願している（特許文献１参照。）。
【特許文献１】特開２００６−１１３７３１号公報
【発明の開示】
【発明が解決しようとする課題】
【０００６】
上記のポイントサービスシステムによれば、店舗にとって無駄な経費を削減するとともに、ポイントサービスの運営を低コストで円滑に行えるようになったが、新たな問題が発覚した。即ち、スタンプマークの印影が不鮮明であるとスタンプマークを画像情報として読み取れず、特定のスタンプ加盟店を認識することができなくなるおそれがあり、また、スタンプマークを画像情報として読み取るため、スタンプマークのデザインの自由度が制限されオリジナリティが出し難いといったことである。
【０００７】
本発明の目的は、フルマークになったスタンプカードの読み取りの確実性を図ると共に、スタンプマークを自由にデザインできるようにしたポイントサービスシステムを提供することにある。
【課題を解決するための手段】
【０００８】
上記課題を解決するために、請求項１に記載の発明は、スタンプ加盟店と、スタンプ加盟店を纏める本部とを備えて構成される組織体からなり、スタンプ加盟店は共通のスタンプカードを使用し、顧客の購買金額に応じてそれぞれ自店を表示するスタンプ加盟店識別情報を含んだスタンプ装置で押印し、フルマークになったスタンプカードに対してスタンプ加盟店はこれを買物利用券或いは景品その他のサービス提供券として顧客に利益を提供し、当該スタンプ加盟店は、当該フルマークになったスタンプカードを本部に提出し、その数に応じて本部から所定の金額の給付を受け、本部は提出されたフルマークになったスタンプカードに押されているスタンプ加盟店毎に、スタンプマークの数に応じた負担金をコンピュータで計算し請求するようにしたポイントサービスシステムであって、前記スタンプ装置は、押印部と、スタンプ加盟店識別情報を記憶しているＩＣチップと前記押印手段による押印毎に前記スタンプ加盟店識別情報を発信する発信手段とからなるＩＤライタ部とを備え、前記スタンプカードは、スタンプマーク欄と、ＩＤライタ部から発信されたスタンプ加盟店識別情報を受信して記録するＩＣチップとＩＣチップと接続したループアンテナコイルとからなるＩＤ記録部とを備え、本部は、前記スタンプ装置のＩＤライタ部によってスタンプカードのＩＤ記録部に記録されたスタンプ加盟店識別情報を読み取るリーダを備え、前記コンピュータは、リーダで読み取ったスタンプカードのＩＤ記録部に記録されたスタンプ加盟店識別情報から特定のスタンプ加盟店を認識するスタンプ加盟店認識手段と、スタンプカードのＩＤ記録部に記録されているスタンプ加盟店毎の記録数を計算する記録数計算手段と、記録数計算手段で計算されたスタンプ加盟店毎の記録数により、スタンプ加盟店毎の負担金を計算する負担金計算手段とを備えており、前記本部に備えたリーダで前記スタンプ加盟店から本部に提出されたフルマークになったスタンプカードのＩＤ記録部に記録されたスタンプ加盟店識別情報を読み取ってコンピュータに出力し、スタンプ加盟店認識手段により、リーダから入力されたスタンプ加盟店識別情報から特定のスタンプ加盟店を認識し、記録数計算手段により、スタンプカードのＩＤ記録部に記録されているスタンプ加盟店毎の記録数を計算し、負担金計算手段により、記録数計算手段で計算されたスタンプ加盟店毎の記録数からスタンプ加盟店毎の負担金を計算し、本部からスタンプカードのＩＤ記録部に記録されているスタンプ加盟店毎に、負担金計算手段で計算されたスタンプ加盟店毎の負担金を請求するようにし、また、フルマークになったスタンプカードを提出したスタンプ加盟店に対しては、スタンプカードの枚数に応じて適宜の計算手段により給付金を計算して、所定の金額を給付するようにしたことを特徴とする。
【０００９】
請求項２に記載の発明は、スタンプ加盟店と、スタンプ加盟店を纏める本部とを備えて構成される組織体からなり、スタンプ加盟店は共通のスタンプカードを使用し、顧客の購買金額に応じてそれぞれ自店を表示するスタンプ加盟店識別情報を含んだスタンプ装置で押印し、フルマークになったスタンプカードに対して本部はこれを買物利用券或いは景品その他のサービス提供券として顧客に利益を提供するとともに、フルマークになったスタンプカードに押されているスタンプ加盟店毎に、スタンプマークの数に応じた負担金をコンピュータで計算し請求するようにしたポイントサービスシステムであって、前記スタンプ装置は、押印部と、スタンプ加盟店識別情報を記憶しているＩＣチップと前記押印手段による押印毎に前記スタンプ加盟店識別情報を発信する発信手段とからなるＩＤライタ部とを備え、前記スタンプカードは、スタンプマーク欄と、ＩＤライタ部から発信されたスタンプ加盟店識別情報を受信して記録するＩＣチップとＩＣチップと接続したループアンテナコイルとからなるＩＤ記録部とを備え、本部は、前記スタンプ装置のＩＤライタ部によってスタンプカードのＩＤ記録部に記録されたスタンプ加盟店識別情報を読み取るリーダを備え、前記コンピュータは、リーダで読み取ったスタンプカードのＩＤ記録部に記録されたスタンプ加盟店識別情報から特定のスタンプ加盟店を認識するスタンプ加盟店認識手段と、スタンプカードのＩＤ記録部に記録されているスタンプ加盟店毎の記録数を計算する記録数計算手段と、記録数計算手段で計算されたスタンプ加盟店毎の記録数により、スタンプ加盟店毎の負担金を計算する負担金計算手段とを備えており、前記本部に備えたリーダで前記顧客から本部に提出されたフルマークになったスタンプカードのＩＤ記録部に記録されたスタンプ加盟店識別情報を読み取ってコンピュータに出力し、スタンプ加盟店認識手段により、リーダから入力されたスタンプ加盟店識別情報から特定のスタンプ加盟店を認識し、記録数計算手段により、スタンプカードのＩＤ記録部に記録されているスタンプ加盟店毎の記録数を計算し、負担金計算手段により、記録数計算手段で計算されたスタンプ加盟店毎の記録数からスタンプ加盟店毎の負担金を計算し、本部からスタンプカードのＩＤ記録部に記録されているスタンプ加盟店毎に、負担金計算手段で計算されたスタンプ加盟店毎の負担金を請求するようにしたことを特徴とする。
【００１０】
請求項３に記載の発明は、請求項１または２に記載の、前記スタンプ装置のＩＤライタ部と前記スタンプカードに備えられたＩＤ記録部との通信距離は密着型であり、また、前記スタンプカードに備えられたスタンプマーク欄は１押印毎に仕切られた所定数の仕切り枠により構成され、そしてＩＤ記録部のループアンテナコイルは、前記スタンプマーク欄を構成する全ての仕切り枠を横切るように配置されていることを特徴とする。
【発明の効果】
【００１１】
本発明に係るポイントサービスシステムは、本部が、本部に提出されたフルマークになったスタンプカードに押されている加盟店毎に、スタンプマークの数に応じた負担金を請求するようにしたので、スタンプ加盟店は必ず使用されたポイントに対してのみ負担金を本部に支払うことになり、顧客に利用されなかったポイントについては負担金の支払いがなくなることから、その分無駄な経費を削減することができる。
【００１２】
そして、前記スタンプ加盟店毎のスタンプの数の計算にあっては、スタンプマークの数として、スタンプマークの押印毎にスタンプ装置のＩＤライタ部より発信されてスタンプカードのＩＤ記録部に記録されたスタンプ加盟店識別情報をリーダで読み取り、スタンプ加盟店認識手段でリーダから入力されたスタンプ加盟店識別情報から特定のスタンプ加盟店を認識し、記録数計算手段でスタンプカードのＩＤ記録部に記録されているスタンプ加盟店毎の記録数を計算するので、スタンプカードのスタンプマーク欄に押されたスタンプマークの印影が不鮮明であってもスタンプマークを押印したスタンプ加盟店を確実に読み取ることができ、スタンプ加盟店毎の負担金を容易に且つ確実に算出することができることから、スタンプ加盟店に対する負担金の過剰請求や過小請求といったおそれが無くなり、ポイントサービスの運営を円滑に行うことができるものとなる。
【００１３】
そして、スタンプカードのスタンプマーク欄に押されたスタンプマークは、顧客に対しスタンプカードのスタンプマークの個数やフルマークになったことを視覚的に認識させるだけのものとなるので、スタンプマークを自由にデザインでき、個々のスタンプ加盟店のピー・アールとして活用することができる。
【００１４】
また、前記スタンプ装置のＩＤライタ部と前記スタンプカードに備えられたＩＤ記録部との通信距離は密着型であり、また、前記スタンプカードに備えられたスタンプマーク欄は１押印毎に仕切られた所定数の仕切り枠により構成され、そしてＩＤ記録部のループアンテナコイルは、前記スタンプマーク欄を構成する全ての仕切り枠を横切るように配置されているので、前記スタンプカードに備えられたスタンプマーク欄以外の箇所、例えばスタンプカード以外のカード類に押印したとき、ＩＤライタ部からスタンプ加盟店識別情報が発信されるものの前記スタンプカードに備えられたＩＤ記録部では受信せず、前記スタンプマーク欄の仕切り枠内に押印されることによりＩＤ記録部が受信し記録されることになることから、スタンプマーク欄に押印されたスタンプマークの個数とスタンプカードのＩＤ記録部に記録されているスタンプ加盟店の記録数の不一致を確実に防止することができる。
【発明を実施するための最良の形態】
【００１５】
以下、本発明に係るポイントサービスシステムを実施するための最良の形態の一例について説明する。
【００１６】
図１は本発明に係るポイントサービスシステムを実施するための最良の形態の第１例を示す説明図、図２は第１例で使用されるスタンプ装置の一例を示す説明図、図３は図２のスタンプ装置の押印状態を示す説明図、図４は第１例で使用されるスタンプカードの一例を示す平面図、図５は第１例のポイントサービスシステムのフローチャートである。
【００１７】
第１例のポイントサービスシステムは、複数のスタンプ加盟店１と、スタンプ加盟店１を纏める本部２とを備えて構成される組織体からなっており、スタンプ加盟店１は共通のスタンプカード３を使用し、顧客４の購買金額に応じてそれぞれ自店を表示するスタンプ加盟店識別情報（例えば、加盟店番号）を含んだスタンプ装置５で押印し、フルマークになったスタンプカード３に対してスタンプ加盟店１はこれを買物利用券或いは景品その他のサービス提供券として顧客４に利益を提供し、当該スタンプ加盟店１は、当該フルマークになったスタンプカード３を本部２に提出し、その数に応じて本部２から所定の金額の給付を受け、本部２は提出されたフルマークになったスタンプカード３に押されているスタンプ加盟店１毎に、スタンプマーク６の数に応じた負担金をコンピュータ７で計算し請求する構成となっている。
【００１８】
前記スタンプ加盟店１がフルマークになったスタンプカード３を本部２に提出することにより、本部２から所定の金額の給付を受けるのは、スタンプ加盟店１は他のスタンプ加盟店１のスタンプマーク６に対してもこれを持参した顧客４に前記利益を提供するようになっているからであり、押印したスタンプ加盟店１のスタンプマーク６の数に応じた負担金の本部２への支払いによって精算されるようになっている。
【００１９】
前記スタンプ加盟店１と本部２とで構成される組織体としては、例えば、商店街、フランチャイズチェーン、デパート、タクシー各社で組織した連合体などを挙げることができるが、これに限られるものではない。
【００２０】
組織体が商店街である場合、前記スタンプ加盟店１は商店街を構成する各店舗であり、本部２は、商店街の運営を行う運営事務局である。また、組織体がフランチャイズチェーンである場合、前記スタンプ加盟店１はフランチャイズ加盟店であり、本部２はフランチャイズチェーン本部である。また、組織体がデパートである場合、前記スタンプ加盟店１はデパートに入っているテナント業者であり、前記本部２はデパート本部である。また、組織体がタクシー各社で組織した連合体である場合は、前記スタンプ加盟店１は連合体を組織しているタクシー各社であり、前記本部２はタクシー各社で組織した連合体である。
【００２１】
前記の顧客４の購買金額に応じてそれぞれ自店を表示するスタンプ加盟店識別情報を含んだ第１例で使用されるスタンプ装置５は、自店を表示する各スタンプ加盟店独自のスタンプマーク６を刻印した押印部８と、自店を表示する各スタンプ加盟店独自のスタンプ加盟店識別情報を記憶しているＩＣチップ９と前記押印部８による押印毎に前記スタンプ加盟店識別情報を発信する発信手段１０とからなるＩＤライタ部１１とを備えている。
【００２２】
前記押印部８にあっては、本例では、下面にスタンプマーク刻印面１２を有し中空棒状基体１３の下部に摺動自在に嵌合したスタンプマーク押印体１４からなり、スプリング（図示せず）により付勢されて下方に移動しておりストッパ（図示せず）により抜け止めされている（図２）。そして、押印時に押印方向に力を加えることにより、スタンプマーク押印体１４がスプリングの弾発力に抗して上方へ移動するようになっている（図３）。
【００２３】
また、前記ＩＤライタ部１１にあっては、本例では、前記スタンプ加盟店識別情報を記憶しているＩＣチップ９と前記押印部８による押印毎に前記スタンプ加盟店識別情報を発信する発信手段１０とバッテリ１５が中空棒状基体１３内に収容されている。
【００２４】
また、スタンプ装置５には、前記ＩＤライタ部１１の発信手段１０をＯＮ・ＯＦＦするスイッチ１６が設けられており、押印時にスタンプマーク押印体１４が上方へ移動したときＯＮし、下方に移動したときＯＦＦとなるように構成されている。さらに、前記ＩＤライタ部１１の発信手段１０がＯＮとなったとき、前記スタンプ加盟店識別情報が発信されたことを押印者に知らせるスタンプ加盟店識別情報発信確認手段１７が設けられている。このスタンプ加盟店識別情報発信確認手段１７にあっては、発信音やランプ点灯など前記スタンプ加盟店識別情報が発信されたことを押印者が確認できるものであればよい。
【００２５】
前記第１例で使用されるスタンプカード３は、所定の数に仕切られたスタンプマーク欄１８と、ＩＤライタ部１１から発信されたスタンプ加盟店識別情報を受信して記録するＩＣチップ１９とＩＣチップ１９と接続したループアンテナコイル２０とからなるＩＤ記録部２１とを備えている。
【００２６】
本例では、前記スタンプ装置５のＩＤライタ部１１と前記スタンプカード３に備えられたＩＤ記録部２１との通信距離は２ｍｍまでと短い密着型（ＩＳＯ／ＩＥＣ  １０５３６）が採用されている。
【００２７】
前記スタンプカード３に備えられたスタンプマーク欄１８は１押印毎に仕切られた所定数の仕切り枠２２により構成され、そしてＩＤ記録部２１のループアンテナコイル２０は、前記スタンプマーク欄１８を構成する全ての仕切り枠２２を横切るように配置されている。
【００２８】
また、本部２は、前記スタンプ装置５のＩＤライタ部１１によってスタンプカード３のＩＤ記録部２１に記録されたスタンプ加盟店識別情報を読み取るリーダ２３と前記コンピュータ７を備えている。前記コンピュータ７は、リーダ２３で読み取ったスタンプカード３のＩＤ記録部２１に記録されたスタンプ加盟店識別情報から特定のスタンプ加盟店１を認識するスタンプ加盟店認識手段と、スタンプカードのＩＤ記録部２１に記録されているスタンプ加盟店１毎の記録数を計算する記録数計算手段と、記録数計算手段で計算されたスタンプ加盟店１毎の記録数により、スタンプ加盟店１毎の負担金を計算する負担金計算手段と、を備えている。
【００２９】
次に、上記のように構成された第１例のポイントサービスシステムの作用について、図５により説明する。
【００３０】
各スタンプ加盟店１は、顧客４にスタンプカード３を渡す（１００）。顧客４は、いずれかのスタンプ加盟店１で買い物をすると（１０１）、スタンプ加盟店１は顧客が所持するスタンプカード３のスタンプマーク欄１８の仕切り枠２２内に購入金額に応じた数のスタンプマーク６を押印する（１０２）。スタンプマーク欄１８がフルマークになったら、顧客４はフルマークのスタンプカード３をいずれかのスタンプ加盟店１に提出する（１０３）。フルマークのスタンプカード３を受け取ったスタンプ加盟店１は、スタンプカード３の枚数に応じて買物利用券或いは景品その他のサービス提供券として顧客４に利益を提供する（１０４）。
【００３１】
スタンプ加盟店１は、当該フルマークになったスタンプカード３を、例えば、一定期間毎に纏めて本部２に提出する（１０５）。本部２は、スタンプカード３の枚数に応じて適宜の計算手段により給付金を計算して所定の金額、例えば、そのスタンプ加盟店１が顧客４への利益提供において負担した金額を給付する（１０６）。
【００３２】
また、本部２では、リーダ２３で前記スタンプ加盟店１から本部２に提出されたフルマークになったスタンプカード３のＩＤ記録部２１に記録されたスタンプ加盟店識別情報を読み取ってコンピュータ７に出力し、スタンプ加盟店認識手段により、リーダ２３から入力されたスタンプ加盟店識別情報から特定のスタンプ加盟店１を認識し、記録数計算手段により、スタンプカード３のＩＤ記録部２１に記録されているスタンプ加盟店１毎の記録数を計算し、負担金計算手段により、記録数計算手段で計算されたスタンプ加盟店１毎の記録数からスタンプ加盟店１毎の負担金を計算し、本部２からスタンプカード３のＩＤ記録部２１に記録されているスタンプ加盟店１毎に、負担金計算手段で計算されたスタンプ加盟店１毎の負担金を請求する（１０７）。各スタンプ加盟店１は、請求された負担金を本部２に支払う（１０８）。
【００３３】
図６は本発明に係るポイントサービスシステムを実施するための最良の形態の第２例を示す説明図、図７は第２例のポイントサービスシステムのフローチャートである。第２例において、第１例と同じ構成については、同一の符号を付して説明する
第２例のポイントサービスシステムは、第１例と同様に、スタンプ加盟店１と、スタンプ加盟店を纏める本部２とを備えて構成される組織体からなっており、スタンプ加盟店１は共通のスタンプカード３を使用し、フルマークになったスタンプカード３に対して本部２はこれを買物利用券或いは景品その他のサービス提供券として顧客４に利益を提供するとともに、フルマークになったスタンプカード３に押されているスタンプ加盟店１毎に、スタンプマーク６の数に応じた負担金をコンピュータ６で計算し請求する構成となっている。
【００３４】
このように構成された第２例と前記第１例との差異は、第１例は、フルマークになったスタンプカード３に対してスタンプ加盟店１がこれを買物利用券或いは景品その他のサービス提供券として顧客４に利益を提供するのに対し、第２例では、フルマークになったスタンプカード３に対して本部２がこれを買物利用券或いは景品その他のサービス提供券として顧客４に利益を提供するようにした点だけであり、他の構成にあっては、第２例と前記第１例とは変わるところがないので、第２例の構成として前記第１例の構成を援用し、その説明を省略する。
【００３５】
次に、上記のように構成された第２例のポイントサービスシステムの作用について、図６により説明する。
【００３６】
各スタンプ加盟店１は、顧客４にスタンプカード３を渡す（１００）。顧客４は、いずれかのスタンプ加盟店１で買い物をすると（１０１）、スタンプ加盟店１は顧客が所持するスタンプカード３のスタンプマーク欄１８の仕切り枠２２内に購入金額に応じた数のスタンプマーク６を押印する（１０２）。スタンプマーク欄１８がフルマークになったら、顧客４はフルマークのスタンプカード３を本部２に提出する（２０１）。フルマークのスタンプカード３を受け取った本部２は、スタンプカード３の枚数に応じて買物利用券或いは景品その他のサービス提供券として顧客４に利益を提供する（２０２）。
【００３７】
また、本部２では、リーダ２３で前記スタンプ加盟店１から本部２に提出されたフルマークになったスタンプカード３のＩＤ記録部２１に記録されたスタンプ加盟店識別情報を読み取ってコンピュータ７に出力し、スタンプ加盟店認識手段により、リーダ２３から入力されたスタンプ加盟店識別情報から特定のスタンプ加盟店１を認識し、記録数計算手段により、スタンプカード３のＩＤ記録部２１に記録されているスタンプ加盟店１毎の記録数を計算し、負担金計算手段により、記録数計算手段で計算されたスタンプ加盟店１毎の記録数からスタンプ加盟店１毎の負担金を計算し、本部２からスタンプカード３のＩＤ記録部２１に記録されているスタンプ加盟店１毎に、負担金計算手段で計算されたスタンプ加盟店１毎の負担金を請求する（１０７）。各スタンプ加盟店１は、請求された負担金を本部２に支払う（１０８）。
【００３８】
なお、前記第１例及び第２例では、いずれもスタンプカード３を各スタンプ加盟店１が顧客４に渡しているが、本部２が渡すようにしてもよい。
【図面の簡単な説明】
【００３９】
【図１】本発明に係るポイントサービスシステムを実施するための最良の形態の第１例を示す説明図。
【図２】第１例で使用されるスタンプ装置の一例を示す説明図。
【図３】図２のスタンプ装置の押印状態を示す説明図。
【図４】第１例で使用されるスタンプカードの一例を示す平面図。
【図５】第１例のポイントサービスシステムのフローチャート。
【図６】本発明に係るポイントサービスシステムを実施するための最良の形態の第２例を示す説明図。
【図７】第２例のポイントサービスシステムのフローチャート。
【符号の説明】
【００４０】
１    スタンプ加盟店
２    本部
３    スタンプカード
４    顧客
５    スタンプ装置
６    スタンプマーク
７    コンピュータ
８    押印部
９    ＩＣチップ
１０  発信手段
１１  ＩＤライタ部
１２  スタンプマーク刻印面
１３  中空棒状基体
１４  スタンプマーク押印体
１５  バッテリ
１６  スイッチ
１７  スタンプ加盟店識別情報発信確認手段
１８  スタンプマーク欄
１９  ＩＣチップ
２０  ループアンテナコイル
２１  ＩＤ記録部
２２  仕切り枠
２３  リーダ
【図１】
2009176157.tif 000003
【図２】
2009176157.tif 000004
【図３】
2009176157.tif 000005
【図４】
2009176157.tif 000006
【図５】
2009176157.tif 000007
【図６】
2009176157.tif 000008
【図７】
2009176157.tif 000009
【手続補正書】
【提出日】平成20年1月28日(2008.1.28)
【手続補正１】
【補正対象書類名】特許請求の範囲
【補正対象項目名】請求項２
【補正方法】変更
【補正の内容】
【請求項２】
スタンプ加盟店と、スタンプ加盟店を纏める本部とを備えて構成される組織体からなり、スタンプ加盟店は共通のスタンプカードを使用し、顧客の購買金額に応じてそれぞれ自店を表示するスタンプ加盟店識別情報を含んだスタンプ装置で押印し、フルマークになったスタンプカードに対して本部はこれを買物利用券或いは景品その他のサービス提供券として顧客に利益を提供するとともに、フルマークになったスタンプカードに押されているスタンプ加盟店毎に、スタンプマークの数に応じた負担金をコンピュータで計算し請求するようにしたポイントサービスシステムであって、
前記スタンプ装置は、押印部と、スタンプ加盟店識別情報を記憶しているＩＣチップと前記押印手段による押印毎に前記スタンプ加盟店識別情報を発信する発信手段とからなるＩＤライタ部とを備え、
前記スタンプカードは、スタンプマーク欄と、ＩＤライタ部から発信されたスタンプ加盟店識別情報を受信して記録するＩＣチップとＩＣチップと接続したループアンテナコイルとからなるＩＤ記録部とを備え、
本部は、前記スタンプ装置のＩＤライタ部によってスタンプカードのＩＤ記録部に記録されたスタンプ加盟店識別情報を読み取るリーダを備え、
前記コンピュータは、リーダで読み取ったスタンプカードのＩＤ記録部に記録されたスタンプ加盟店識別情報から特定のスタンプ加盟店を認識するスタンプ加盟店認識手段と、スタンプカードのＩＤ記録部に記録されているスタンプ加盟店毎の記録数を計算する記録数計算手段と、記録数計算手段で計算されたスタンプ加盟店毎の記録数により、スタンプ加盟店毎の負担金を計算する負担金計算手段とを備えており、
前記本部に備えたリーダで前記顧客から本部に提出されたフルマークになったスタンプカードのＩＤ記録部に記録されたスタンプ加盟店識別情報を読み取ってコンピュータに出力し、スタンプ加盟店認識手段により、リーダから入力されたスタンプ加盟店識別情報から特定のスタンプ加盟店を認識し、記録数計算手段により、スタンプカードのＩＤ記録部に記録されているスタンプ加盟店毎の記録数を計算し、負担金計算手段により、記録数計算手段で計算されたスタンプ加盟店毎の記録数からスタンプ加盟店毎の負担金を計算し、
本部からスタンプカードのＩＤ記録部に記録されているスタンプ加盟店毎に、負担金計算手段で計算されたスタンプ加盟店毎の負担金を請求するようにしたことを特徴とするポイントサービスシステム。